【手続補正書】
【提出日】平成19年1月24日(2007.1.24)
【手続補正１】
【補正対象書類名】明細書
【補正対象項目名】特許請求の範囲
【補正方法】変更
【補正の内容】
【特許請求の範囲】
【請求項１】
被帯電体としての像担持体と、被帯電体と当接し、被帯電体表面に対して帯電を行う回動可能な帯電部材と、この帯電部材に当接或いは近接する磁界発生部材とを有することを特徴とする帯電装置。
【請求項２】
前記磁界発生部材は電磁石であり、磁界の強度を可変とすることを特徴とする請求項１に記載の帯電装置。
【請求項３】
前記磁界発生部材を前記帯電部材に対して押圧する状態、及び押圧を解除する状態に、状態を変更することができる磁界発生部材押圧手段を備えることを特徴とする請求項１に記載の帯電装置。
【請求項４】
前記回動可能な帯電部材は、ファーブラシ又は弾性体のローラであることを特徴とする請求項１乃至３いずれか１項記載の帯電装置。
【請求項５】
前記回動可能な帯電部材が弾性発泡体で構成されているローラであることを特徴とする請求項１乃至４いずれか１項記載の帯電装置。
【請求項６】
前記回動可能な帯電部材が、Ａｓｋｅｒ−Ｃ硬度で１５度以上、７０度以下の硬度を有する弾性ローラであることを特徴とする請求項１乃至５いずれか１項記載の帯電装置。
【請求項７】
前記回動可能な帯電部材が、Ａｓｋｅｒ−Ｃ硬度で２０度以上、５０度以下の硬度を有する弾性ローラであることを特徴とする請求項６記載の帯電装置。
【請求項８】
前記回動可能な帯電部材が、体積固有抵抗が１０３〜１０８Ω・ｃｍの抵抗を有するローラ部材であることを特徴とする請求項１乃至７いずれか１項記載の帯電装置。
【請求項９】
磁界発生部材が、回動可能であることを特徴とする請求項１乃至８いずれか１項記載の帯電装置。
【請求項１０】
磁界発生部材が、回動可能である円筒状スリーブによって内包されていることを特徴とする請求項１乃至９いずれか１項記載の帯電装置。
【請求項１１】
回動可能である磁界発生部材あるいは磁界発生部材を内包する回動可能である円筒状スリーブに当接する部材を有することを特徴とする請求項９又は１０記載の帯電装置。
【請求項１２】
前記帯電部材表面における磁界発生部材による磁束密度の最大値が、１０〜１５０  ｍＴ  であることを特徴とする請求項１乃至１１いずれか１項記載の帯電装置。
【請求項１３】
被帯電体としての像担持体に当接して像担持体表面を一様に帯電させる帯電装置と、前記一様に帯電された像担持体を露光し静電潜像を形成する露光装置と、前記像担持体上の静電潜像を可視化するためのトナーを含む現像剤を有する現像装置と、前記像担持体上のトナー像を転写材上に転写するための転写装置と、を有する画像形成装置において、
前記帯電装置は、請求項１乃至１２いずれか１項記載の帯電装置であることを特徴とする画像形成装置。
【請求項１４】
被帯電体としての像担持体と、この像担持体に当接して像担持体表面を一様に帯電させる帯電装置と、前記一様に帯電された像担持体を露光し静電潜像を形成する露光装置と、前記像担持体上の静電潜像を可視化するためのトナーを含む現像剤を有する現像装置と、前記像担持体上のトナー像を転写材上に転写するための転写装置と、を有する画像形成装置において、
前記帯電装置は、前記像担持体に対して一様帯電を行う回動可能な帯電部材と、この帯電部材に当接或いは近接する磁界発生部材とを有することを特徴とする画像形成装置。
【請求項１５】
前記帯電部材が、被帯電体表面に対して相対速度を有して回動することを特徴とする請求項１３又は１４記載の画像形成装置。
【請求項１６】
前記帯電部材と前記像担持体とが、それらが対向する表面において互いに逆方向に移動することを特徴とする請求項１３乃至１５いずれか１項記載の画像形成装置。
【請求項１７】
被帯電体としての像担持体に当接して像担持体表面を一様に帯電させる帯電装置と、前記一様に帯電された像担持体を露光し静電潜像を形成する露光装置と、前記像担持体上の静電潜像を可視化するためのトナーを含む現像剤を有する現像装置と、前記像担持体上のトナー像を転写材上に転写するための転写装置と、を有する画像形成装置において、
前記帯電装置は、請求項１１記載の帯電装置であって、
前記磁界発生部材あるいは前記円筒状スリーブに当接する前記部材の少なくとも表面のトナー粒子との摩擦帯電極性がトナー粒子自体の帯電極性とは逆極性であることを特徴とする画像形成装置。
【請求項１８】
前記像担持体の最表面層における体積抵抗が１×１０９〜１×１０１４Ω・ｃｍであることを特徴とする請求項１３乃至１７いずれか１項記載の画像形成装置。
【請求項１９】
前記像担持体の最表面層が、金属酸化物導電微粒子が分散された樹脂層であることを特徴とする請求項１３乃至１８いずれか１項記載の画像形成装置。
【請求項２０】
前記像担持体の表面の水に対する接触角が８５度以上であることを特徴とする請求項１３乃至１９いずれか１項記載の画像形成装置。
【請求項２１】
前記像担持体の最表面層が、フッ素系樹脂、シリコーン系樹脂及びポリオレフィン系樹脂から選ばれる１種以上の材料からなる滑剤微粒子が、分散された層であることを特徴とする請求項１３乃至２０いずれか１項記載の画像形成装置。
【請求項２２】
前記現像剤が、結着樹脂及び磁性体を含有する磁性トナー粒子であることを特徴とする請求項１３乃至２１いずれか１項記載の画像形成装置。
【請求項２３】
前記磁性トナー粒子の磁場７９．６ｋＡ／ｍにおける磁化の強さが１０〜４０Ａｍ２／ｋｇであることを特徴とする請求項２２記載の画像形成装置。
【請求項２４】
前記磁性トナー粒子の磁場７９．６ｋＡ／ｍにおける抗磁力が１〜３０ｋＡ／ｍであることを特徴とする請求項２２又は２３記載の画像形成装置。
【請求項２５】
前記磁性トナー粒子の磁場７９．６ｋＡ／ｍにおける磁化の強さをσｓ、体積平均粒径をＤとするとき、下記（１）式を満たすことを特徴とする請求項２２乃至２４いずれか１項記載の画像形成装置。
１００  ＜  σｓ  ×  Ｄ  ＜  ３００      （１）
【請求項２６】
前記現像剤が、導電性微粒子からなる導電性微粉末が添加された現像剤であることを特徴とする請求項１３乃至２５いずれか１項記載の画像形成装置。
【請求項２７】
前記導電性微粉末が非磁性であることを特徴とする請求項２６記載の画像形成装置。
【請求項２８】
前記導電性微粉末の抵抗が１０９Ω・ｃｍ以下であることを特徴とする請求項２６又は２７記載の画像形成装置。
【請求項２９】
前記導電性微粉末の抵抗が１０６Ω・ｃｍ以下であることを特徴とする請求項２８記載の画像形成装置。
【請求項３０】
前記導電性微粉末が、酸化亜鉛、酸化スズ、酸化チタンから選ばれる少なくとも一種の酸化物を含有していることを特徴とする請求項２６乃至２９いずれか１項記載の画像形成装置。
【請求項３１】
前記現像剤の前記導電性微粉末の含有量がトナー粒子の０．５〜１０質量％であることを特徴とする請求項２６乃至３０いずれか１項記載の画像形成装置。
【請求項３２】
前記現像剤が、現像剤中で０．６〜３μｍの粒径の導電性微粉末をトナー粒子１００個あたり５〜５００個有することを特徴とする請求項２６乃至３１いずれか１項記載の画像形成装置。
【請求項３３】
前記帯電装置は、前記現像装置によって前記像担持体に付着し、前記転写装置による転写が行われた後もこの像担持体に残留している前記導電性微粉末を含む前記現像剤の成分が前記帯電部材に付着或は混入した状態で電圧を印加されることにより、前記導電性微粉末を介して前記像担持体を帯電することを特徴とする請求項２６乃至３２いずれか１項記載の画像形成装置。
【請求項３４】
前記現像装置が、トナー画像を形成するとともに、前記トナー画像が前記転写材に転写された後に前記像担持体に残留した現像剤を回収する手段を有することを特徴とする請求項１３乃至３３いずれか１項記載の画像形成装置。
【請求項３５】
前記転写装置が、前記転写材を介して前記像担持体に当接してトナー画像を前記転写材に転写する転写部材を有することを特徴とする請求項１３乃至３４いずれか１項記載の画像形成装置。
【請求項３６】
少なくとも前記像担持体と前記像担持体を一様に帯電させる帯電装置とを包含し、前記像担持体を一様に帯電する工程を含む作像プロセスを前記像担持体に適用して画像形成を実行する画像形成装置本体に対して着脱自在のプロセスカートリッジにおいて、
前記帯電装置は、請求項１乃至１２いずれか１項記載の帯電装置であることを特徴とするプロセスカートリッジ。
【請求項３７】
少なくとも前記像担持体と前記像担持体を一様に帯電させる帯電装置とを包含し、前記像担持体を一様に帯電する工程を含む作像プロセスを前記像担持体に適用して画像形成を実行する画像形成装置本体に対して着脱自在のプロセスカートリッジにおいて、
請求項１３乃至２１いずれか１項記載の画像形成装置における少なくとも前記像担持体および前記帯電装置を包含することを特徴とするプロセスカートリッジ。
【請求項３８】
少なくとも前記像担持体と前記像担持体を一様に帯電させる帯電装置とを包含し、前記像担持体を一様に帯電する工程を含む作像プロセスを前記像担持体に適用して画像形成を実行する画像形成装置本体に対して着脱自在のプロセスカートリッジにおいて、
請求項２２乃至３５いずれか１項記載の画像形成装置における少なくとも前記像担持体、前記帯電装置、および前記現像装置を包含することを特徴とするプロセスカートリッジ。
【手続補正２】
【補正対象書類名】明細書
【補正対象項目名】００４４
【補正方法】変更
【補正の内容】
【００４４】
（１）被帯電体としての像担持体と、被帯電体と当接し、被帯電体表面に対して帯電を行う回動可能な帯電部材と、この帯電部材に当接或いは近接する磁界発生部材とを少なくとも有することを特徴とする帯電装置。
（２）前記磁界発生部材は電磁石であり、磁界の強度を可変とすることを特徴とする（１）の帯電装置。
（３）前記磁界発生部材を前記帯電部材に対して押圧する状態、及び押圧を解除する状態に、状態を変更することができる磁界発生部材押圧手段を備えることを特徴とする（１）の帯電装置。
【手続補正３】
【補正対象書類名】明細書
【補正対象項目名】００４５
【補正方法】変更
【補正の内容】
【００４５】
（４）回動可能な帯電部材が、ファーブラシ又は弾性体のローラであることを特徴とする（１）〜（３）のいずれかの帯電装置。
【手続補正４】
【補正対象書類名】明細書
【補正対象項目名】００４６
【補正方法】変更
【補正の内容】
【００４６】
（５）回動可能な帯電部材が弾性発泡体で構成されるローラであることを特徴とする（１）〜（４）のいずれかの帯電装置。
【手続補正５】
【補正対象書類名】明細書
【補正対象項目名】００４７
【補正方法】変更
【補正の内容】
【００４７】
（６）回動可能な帯電部材が、Ａｓｋｅｒ−Ｃ硬度で１５度以上、７０度以下の硬度を有する弾性ローラであることを特徴とする（１）〜（５）のいずれかの帯電装置。
【手続補正６】
【補正対象書類名】明細書
【補正対象項目名】００４８
【補正方法】変更
【補正の内容】
【００４８】
（７）回動可能な帯電部材が、Ａｓｋｅｒ−Ｃ硬度で２０度以上、５０度以下の硬度を有する弾性ローラであることを特徴とする（６）の帯電装置。
【手続補正７】
【補正対象書類名】明細書
【補正対象項目名】００４９
【補正方法】変更
【補正の内容】
【００４９】
（８）回動可能な帯電部材が、体積固有抵抗が１０３〜１０８Ωの抵抗を有するローラ部材であることを特徴とする（１）〜（７）のいずれかの帯電装置。
【手続補正８】
【補正対象書類名】明細書
【補正対象項目名】００５０
【補正方法】変更
【補正の内容】
【００５０】
（９）磁界発生部材が、回動可能であることを特徴とする（１）〜（８）のいずれかの帯電装置。
【手続補正９】
【補正対象書類名】明細書
【補正対象項目名】００５１
【補正方法】変更
【補正の内容】
【００５１】
（１０）磁界発生部材が、回動可能である円筒状スリーブによって内包されていることを特徴とする（１）〜（９）のいずれかの帯電装置。
【手続補正１０】
【補正対象書類名】明細書
【補正対象項目名】００５２
【補正方法】変更
【補正の内容】
【００５２】
（１１）回動可能である磁界発生部材あるいは磁界発生部材を内包する回動可能である円筒状スリーブに当接する部材を有することを特徴とする（９）又は（１０）の帯電装置。
【手続補正１１】
【補正対象書類名】明細書
【補正対象項目名】００５３
【補正方法】変更
【補正の内容】
【００５３】
（１２）帯電部材表面における磁界発生部材による磁束密度の最大値が、１０〜１５０
ｍＴ であることを特徴とする（１）〜（１１）のいずれかの帯電装置。
【手続補正１２】
【補正対象書類名】明細書
【補正対象項目名】００５４
【補正方法】変更
【補正の内容】
【００５４】
（１３）被帯電体としての像担持体に当接して像担持体表面を一様に帯電させる帯電装置と、前記一様に帯電された像担持体を露光し静電潜像を形成する露光装置と、前記像担持体上の静電潜像を可視化するためのトナーを含む現像剤を有する現像装置と、前記像担持体上のトナー像を転写材上に転写するための転写装置と、を有する画像形成装置において、前記帯電装置は、（１）〜（１２）のいずれかの帯電装置であることを特徴とする画像形成装置。
【手続補正１３】
【補正対象書類名】明細書
【補正対象項目名】００５５
【補正方法】変更
【補正の内容】
【００５５】
（１４）被帯電体としての像担持体と、この像担持体に当接して像担持体表面を一様に帯電させる帯電装置と、前記一様に帯電された像担持体を露光し静電潜像を形成する露光装置と、前記像担持体上の静電潜像を可視化するためのトナーを含む現像剤を有する現像装置と、前記像担持体上のトナー像を転写材上に転写するための転写装置と、を有する画像形成装置において、前記帯電装置は、前記像担持体に対して一様帯電を行う回動可能な帯電部材と、この帯電部材に当接或いは近接する磁界発生部材とを有することを特徴とする画像形成装置。
【手続補正１４】
【補正対象書類名】明細書
【補正対象項目名】００５６
【補正方法】変更
【補正の内容】
【００５６】
（１５）帯電部材が、被帯電体表面に対して相対速度を有して回動することを特徴とする（１３）又は（１４）の画像形成装置。
【手続補正１５】
【補正対象書類名】明細書
【補正対象項目名】００５７
【補正方法】変更
【補正の内容】
【００５７】
（１６）帯電部材と前記像担持体とが、それらが対向する表面において互いに逆方向に移動することを特徴とする（１３）〜（１５）のいずれかの画像形成装置。
【手続補正１６】
【補正対象書類名】明細書
【補正対象項目名】００５８
【補正方法】変更
【補正の内容】
【００５８】
（１７）被帯電体としての像担持体に当接して像担持体表面を一様に帯電させる帯電装置と、前記一様に帯電された像担持体を露光し静電潜像を形成する露光装置と、前記像担持体上の静電潜像を可視化するためのトナーを含む現像剤を有する現像装置と、前記像担持体上のトナー像を転写材上に転写するための転写装置と、を有する画像形成装置において、前記帯電装置は、（１１）の帯電装置であって、前記磁界発生部材あるいは前記円筒状スリーブに当接する前記部材の少なくとも表面のトナー粒子との摩擦帯電極性がトナー粒子自体の帯電極性とは逆極性であることを特徴とする画像形成装置。
【手続補正１７】
【補正対象書類名】明細書
【補正対象項目名】００５９
【補正方法】変更
【補正の内容】
【００５９】
（１８）像担持体の最表面層における体積抵抗が１×１０９〜１×１０１４Ω・ｃｍであることを特徴とする（１３）〜（１７）のいずれかの画像形成装置。
【手続補正１８】
【補正対象書類名】明細書
【補正対象項目名】００６０
【補正方法】変更
【補正の内容】
【００６０】
（１９）像担持体の最表面層が、金属酸化物導電微粒子が分散された樹脂層であることを特徴とする（１３）〜（１８）のいずれかの画像形成装置。
【手続補正１９】
【補正対象書類名】明細書
【補正対象項目名】００６１
【補正方法】変更
【補正の内容】
【００６１】
（２０）像担持体の表面の水に対する接触角が８５度以上であることを特徴とする（１３）〜（１９）のいずれかの画像形成装置。
【手続補正２０】
【補正対象書類名】明細書
【補正対象項目名】００６２
【補正方法】変更
【補正の内容】
【００６２】
（２１）像担持体の最表面層が、フッ素系樹脂、シリコーン系樹脂及びポリオレフィン系樹脂から選ばれる１種以上の材料からなる滑剤微粒子が、分散された層であることを特徴とする（１３）〜（２０）のいずれかの画像形成装置。
【手続補正２１】
【補正対象書類名】明細書
【補正対象項目名】００６３
【補正方法】変更
【補正の内容】
【００６３】
（２２）現像剤が、結着樹脂及び磁性体を含有する磁性トナー粒子であることを特徴とする（１３）〜（２１）のいずれかの画像形成装置。
【手続補正２２】
【補正対象書類名】明細書
【補正対象項目名】００６４
【補正方法】変更
【補正の内容】
【００６４】
（２３）磁性トナー粒子の磁場７９．６ｋＡ／ｍにおける磁化の強さが１０〜４０Ａｍ２／ｋｇであることを特徴とする（２２）の画像形成装置。
【手続補正２３】
【補正対象書類名】明細書
【補正対象項目名】００６５
【補正方法】変更
【補正の内容】
【００６５】
（２４）磁性トナー粒子の磁場７９．６ｋＡ／ｍにおける抗磁力が１〜３０ｋＡ／ｍであることを特徴とする（２２）又は（２３）の画像形成装置。
【手続補正２４】
【補正対象書類名】明細書
【補正対象項目名】００６６
【補正方法】変更
【補正の内容】
【００６６】
（２５）磁性トナー粒子の磁場７９．６ｋＡ／ｍにおける磁化の強さをσｓ、体積平均粒径をＤとするとき、下記（１）式を満たすことを特徴とする（２２）〜（２４）のいずれかの画像形成装置。
１００ ＜ σｓ × Ｄ ＜ ３００ （１）
【手続補正２５】
【補正対象書類名】明細書
【補正対象項目名】００６７
【補正方法】変更
【補正の内容】
【００６７】
（２６）現像剤が、導電性微粒子からなる導電性微粉末が添加された現像剤であることを特徴とする（１３）〜（２５）のいずれかの画像形成装置。
【手続補正２６】
【補正対象書類名】明細書
【補正対象項目名】００６８
【補正方法】変更
【補正の内容】
【００６８】
（２７）導電性微粉末が非磁性であることを特徴とする（２６）の画像形成装置。
【手続補正２７】
【補正対象書類名】明細書
【補正対象項目名】００６９
【補正方法】変更
【補正の内容】
【００６９】
（２８）導電性微粉末の抵抗が１０９Ω・ｃｍ以下であることを特徴とする（２６）又は（２７）の画像形成装置。
【手続補正２８】
【補正対象書類名】明細書
【補正対象項目名】００７０
【補正方法】変更
【補正の内容】
【００７０】
（２９）前記導電性微粉末の抵抗が１０６Ω・ｃｍ以下であることを特徴とする（２８）の画像形成装置。
【手続補正２９】
【補正対象書類名】明細書
【補正対象項目名】００７１
【補正方法】変更
【補正の内容】
【００７１】
（３０）導電性微粉末が、酸化亜鉛、酸化スズ、酸化チタンから選ばれる少なくとも一種の酸化物を含有していることを特徴とする（２６）〜（２９）のいずれかの画像形成装置。
【手続補正３０】
【補正対象書類名】明細書
【補正対象項目名】００７２
【補正方法】変更
【補正の内容】
【００７２】
（３１）現像剤の前記導電性微粉末の含有量がトナー粒子の０．５〜１０質量％であることを特徴とする（２６）〜（３０）のいずれかの画像形成装置。
【手続補正３１】
【補正対象書類名】明細書
【補正対象項目名】００７３
【補正方法】変更
【補正の内容】
【００７３】
（３２）現像剤が、現像剤中で０．６〜３μｍの粒径の導電性微粉末をトナー粒子１００個あたり５〜５００個有することを特徴とする（２６）〜（３１）のいずれかの画像形成装置。
【手続補正３２】
【補正対象書類名】明細書
【補正対象項目名】００７４
【補正方法】変更
【補正の内容】
【００７４】
（３３）前記帯電装置は、前記現像装置によって前記像担持体に付着し、前記転写装置による転写が行われた後もこの像担持体に残留している前記導電性微粉末を含む前記現像剤の成分が前記帯電部材に付着或は混入した状態で電圧を印加されることにより、前記導電性微粉末を介して前記像担持体を帯電することを特徴とする（２６）〜（３２）のいずれかの画像形成装置。
【手続補正３３】
【補正対象書類名】明細書
【補正対象項目名】００７５
【補正方法】変更
【補正の内容】
【００７５】
（３４）現像装置が、トナー画像を形成するとともに、前記トナー画像が前記転写材に転写された後に前記像担持体に残留した現像剤を回収する手段を有することを特徴とする（１３）〜（３３）のいずれかの画像形成装置。
【手続補正３４】
【補正対象書類名】明細書
【補正対象項目名】００７６
【補正方法】変更
【補正の内容】
【００７６】
（３５）転写装置が、前記転写材を介して前記像担持体に当接してトナー画像を前記転写材に転写する転写部材を有することを特徴とする（１３）〜（３４）のいずれかの画像形成装置。
【手続補正３５】
【補正対象書類名】明細書
【補正対象項目名】００７７
【補正方法】変更
【補正の内容】
【００７７】
（３６）少なくとも前記像担持体と前記像担持体を一様に帯電させる帯電装置とを包含し、前記像担持体を一様に帯電する工程を含む作像プロセスを前記像担持体に適用して画像形成を実行する画像形成装置本体に対して着脱自在のプロセスカートリッジにおいて、前記帯電装置は、（１）〜（１２）のいずれかの帯電装置であることを特徴とするプロセスカートリッジ。
【手続補正３６】
【補正対象書類名】明細書
【補正対象項目名】００７８
【補正方法】変更
【補正の内容】
【００７８】
（３７）少なくとも前記像担持体と前記像担持体を一様に帯電させる帯電装置とを包含し、前記像担持体を一様に帯電する工程を含む作像プロセスを前記像担持体に適用して画像形成を実行する画像形成装置本体に対して着脱自在のプロセスカートリッジにおいて、（１３）〜（２１）のいずれかの画像形成装置における少なくとも前記像担持体および前記帯電装置を包含することを特徴とするプロセスカートリッジ。
【手続補正３７】
【補正対象書類名】明細書
【補正対象項目名】００７９
【補正方法】変更
【補正の内容】
【００７９】
（３８）少なくとも前記像担持体と前記像担持体を一様に帯電させる帯電装置とを包含し、前記像担持体を一様に帯電する工程を含む作像プロセスを前記像担持体に適用して画像形成を実行する画像形成装置本体に対して着脱自在のプロセスカートリッジにおいて、（２２）〜（３５）のいずれかの画像形成装置における少なくとも前記像担持体、前記帯電装置、および前記現像装置を包含することを特徴とするプロセスカートリッジ。